(57)【要約】      （修正有）【課題】トレー内で綺麗に整列された多数の餃子を、そのまま一気に焼鍋上に並べ入れ、並べ入れ時間の差による焼き上がりの不均衡をなくす。【解決手段】餃子並べ入れトレー１に次の手段を採用する。第１に、複数の餃子収納部を有するトレー本体２と、トレー本体２の底面に抜き差し自在に装着された耐熱底面シート３とによりなる。第２に、トレー本体２は、上面及び下面が開放された略方形のトレー枠と、トレー枠内に縦横の仕切板６，７により形成された餃子を整列収納する複数の収納空部８と、耐熱底面シート３の保持及び摺動のため形成されたシートスライドガイドとを有する。第３に、シートスライドガイドに耐熱底面シート３を抜き差し自在に装着し、耐熱底面シート３が差し込まれた状態で、収納空部８に餃子を収納し、焼鍋に入れた後、耐熱底面シート３を抜き取り、収納空部８に収納された複数の餃子を一気に焼鍋内に落とし入れる。【選択図】図１
2019076295.tif 000002
【特許請求の範囲】
【請求項１】
複数の餃子収納部を有するトレー本体と、該トレー本体の底面に抜き差し自在に装着された可撓性ある耐熱底面シートとによりなる餃子並べ入れトレーであって、
前記トレー本体が、
上面及び下面が開放された縦枠と横枠で形成された略方形のトレー枠と、
該トレー枠内に縦横の仕切板により形成された餃子を整列収納する複数の収納空部と、
前記耐熱底面シートを抜き差しする方向左右のトレー枠下面に前記耐熱底面シートの保持及び摺動のため形成された摺動保持ガイド部と、
を有し、
該摺動保持ガイド部に前記耐熱底面シートを抜き差し自在に装着し、
前記耐熱底面シートが差し込まれた状態で、前記収納空部に餃子を収納し、焼鍋に入れた後、前記耐熱底面シートを抜き取り、前記収納空部に収納されていた複数の餃子を一気に焼鍋内に落とし入れることを特徴とする餃子並べ入れトレー。
【請求項２】
上記トレー枠の下部に、上記耐熱底面シートを餃子焼器の加熱面となる焼鍋から隔離するトレー脚を設けたことを特徴とする請求項１に記載の餃子並べ入れトレー。
【請求項３】
上記トレー枠下面で、耐熱底面シートを抜き差しする方向で、同方向に向かう仕切板の下方で、収納餃子の落下の障害とならない位置に、上記耐熱底面シートの撓み防止ガイドを設けたことを特徴とする請求項１又は２に記載の餃子並べ入れトレー。
【請求項４】
上記耐熱底面シートを抜き差しする方向前後のトレー枠下面の少なくとも一方の下面に、上記摺動保持ガイド部へ繋がる上記耐熱底面シートの挿入案内部を設けたことを特徴とする請求項１又は２又は３に記載の餃子並べ入れトレー。
【請求項５】
上記挿入案内部が、上記耐熱底面シートを抜き差しする方向前後のトレー枠下面の両側に設けられたことを特徴とする請求項１又は２又は３に記載の餃子並べ入れトレー。
【請求項６】
上記トレー脚がチャンネル材の開放面を下向きに用いたものであることを特徴とする請求項２乃至５のうち何れかに記載の餃子並べ入れトレー。
【発明の詳細な説明】
【技術分野】
【０００１】
本発明は、主に一度に複数の餃子を焼くことができる業務用餃子焼器に使用する餃子並べ入れトレーに関するものであり、詳しくは、耐熱底面シートを抜き取ることにより、該トレーの餃子収納部に並べられた餃子を焼鍋上へ瞬時に並べ入れるトレーである。
【背景技術】
【０００２】
従来より、餃子焼器で餃子を焼くには、餃子焼器の焼鍋上に餃子を並べていく必要がある。この作業は通常人手により行われているが、店舗での営業や、イベントで多くの餃子を短時間で焼き上げなければならない場合に、焼鍋上に大量の餃子を並べるには多くの時間がかかる上、焼鍋上へ綺麗に整列させることは大変な作業であった。時間がかかるということは、最初に焼鍋上に投入された餃子と最後に投入された餃子の間には焼き加減に差が生ずることであり、改善が求められていた。
【０００３】
餃子を焼鍋へ綺麗に並べるものとして、特許文献１に示されるような格子状の仕切板が開示されている。該仕切板は、食材を載せて加熱するプレート（焼鍋）に着脱自在に配置されるもので、この仕切板の格子間に複数の食材、例えば餃子を配列することにより、仕切板によって食材の移動を防止し、迅速にプレート上に食材を配置するというものである。しかし使用に際しては、餃子は各格子に順次投入されるため、最初の格子と最後の格子に投入される餃子には時間差が生ずる。従って、多量の餃子を並べる時間差による焼き上がりの不均衡は解消されず、且つ、仕切板は食材の加熱中はプレート上に載置されたままであり、食材取り出し時は蓋体に吸着保持されるという構造のため装置が大型化する難点を有していた。
【０００４】
そこで、特許文献２に示されるような、焼き上げ調理時間の短縮を図る餃子収納トレーが開示されている。該餃子収納トレーは、餃子を収納するトレー本体と餃子を出し入れする着脱仕切板とで構成される。餃子の焼き上げ調理時には、着脱仕切板は、その下部をトレー本体の底板の上面に当接させた状態で、トレー本体を引き抜きあるいは該仕切板をスライド移動することによって、餃子収納部に並べられている餃子を一挙又は列ごとに押し出して、トレー本体から餃子焼き上げ器に移す調理器具となっていた。
【０００５】
該餃子収納トレー内では、餃子を整列して並べることは可能であるが、餃子収納トレーから餃子焼き上げ器（餃子焼器の焼鍋）上に多量の餃子を一挙に移した際には、餃子は、餃子焼に適した配置に、きちんと整列されているものではない。従って、餃子を再度整列させてから焼き上げる必要があった。
【先行技術文献】
【特許文献】
【０００６】
【特許文献１】特開２００３−１１６７２２号公開特許公報
【特許文献２】実用新案登録第３１９６２５４号登録実用新案公報
【発明の概要】
【発明が解決しようとする課題】
【０００７】
第１の課題は、耐熱底面シートを引き抜くことにより、餃子並べ入れトレーから餃子焼器の焼鍋上へ多数の餃子を一瞬の内に並べ入れ、並べ入れの時間差による焼き上がりの不均衡をなくすことのできる餃子並べ入れトレーとすることである。
第２の課題は、該トレー内で綺麗に整列された状態の餃子を、そのままの配置で焼鍋上に並べ入れることができるようにすることである。
【課題を解決するための手段】
【０００８】
上記課題を解決するために、第１の発明は餃子並べ入れトレーを次のように構成する。
第１に、複数の餃子収納部を有するトレー本体と、該トレー本体の底面に抜き差し自在に装着された可撓性ある耐熱底面シートとによりなる餃子並べ入れトレーとする。
第２に、トレー本体が、上面及び下面が開放された縦枠と横枠で形成された略方形のトレー枠と、該トレー枠内に縦横の仕切板により形成された餃子を整列収納する複数の収納空部と、耐熱底面シートを抜き差しする方向左右のトレー枠下面に耐熱底面シートの保持及び摺動のため形成された摺動保持ガイド部と、を有するものとする。
第３に、該摺動保持ガイド部に耐熱底面シートを抜き差し自在に装着し、耐熱底面シートが差し込まれた状態で、収納空部に餃子を収納し、焼鍋に入れた後、耐熱底面シートを抜き取り、収納空部に収納されていた複数の餃子を一気に焼鍋内に落とし入れるものとする。
【０００９】
第２の発明は、第１の発明におけるトレー枠の下部に、耐熱底面シートを餃子焼器の加熱面となる焼鍋から隔離するトレー脚を設けたことを特徴とする餃子並べ入れトレーである。
【００１０】
第３の発明は、第１又は第２の発明において、トレー枠下面で、耐熱底面シートを抜き差しする方向で、同方向に向かう仕切板の下方で、収納餃子の落下の障害とならない位置に、耐熱底面シートの撓み防止ガイドを設けたことを特徴とする餃子並べ入れトレーである。
【００１１】
第４の発明は、第１又は第２又は第３の発明において、耐熱底面シートを抜き差しする方向前後のトレー枠下面の少なくとも一方の下面に、摺動保持ガイド部へ繋がる耐熱底面シートの挿入案内部を設けたことを特徴とする餃子並べ入れトレーである。
【００１２】
第５の発明は、第１又は第２又は第３の発明において、挿入案内部が、耐熱底面シートを抜き差しする方向前後のトレー枠下面の両側に設けられたことを特徴とする餃子並べ入れトレーである。
【００１３】
第６の発明は、第２乃至第５のうち何れかの発明において、トレー脚がチャンネル材の開放面を下向きに用いたものであることを特徴とする餃子並べ入れトレーである。
【発明の効果】
【００１４】
第１の発明は、次の効果を有する。
第１に、耐熱底面シートを抜き取ることにより、収納空部に収納された複数の餃子を一気に焼鍋内に落とし入れるので、焼鍋内での餃子の並べ入れ時間の差をなくし、均等なる焼き上がりを確保することができた。
第２に、仕切板により構成される収納空部に餃子を収納することにより、多数の餃子は、餃子並べ入れトレー内で綺麗に整列されているので、耐熱底面シートを抜き取ることにより、該トレー内の配置のまま餃子を焼鍋上に並べ入れることができ、綺麗に焼き上げることができた。  
【００１５】
第２の発明は、トレー枠の下部に、耐熱底面シートを餃子焼器の加熱面となる焼鍋から隔離するトレー脚を設けたことにより、加熱面からの高熱が耐熱底面シートに直に伝わることがなく、耐熱底面シートの破損及び劣化を防ぐことができた。
【００１６】
第３の発明は、トレー枠下面で、耐熱底面シートを抜き差しする方向で、同方向に向かう仕切板の下方で、収納餃子の落下の障害とならない位置に、耐熱底面シートの撓み防止ガイドを設けたことにより、耐熱底面シートに多数の餃子を並べ入れても重みにより耐熱底面シートが撓み、焼鍋に接することがなくなった。
【００１７】
第４の発明は、耐熱底面シートを抜き差しする方向前後のトレー枠下面の少なくとも一方の下面に、摺動保持ガイド部へ繋がる耐熱底面シートの挿入案内部を設けたことにより、耐熱底面シートを摺動保持ガイド部に装着する際にスムーズに装着することを可能とした。
【００１８】
第５の発明は、挿入案内部が、耐熱底面シートを抜き差しする方向前後のトレー枠下面の両側に設けられたことにより、前方からでも後方からでも耐熱底面シートを摺動保持ガイド部に装着可能なので、使い勝手の優れたものとなった。
【００１９】
第６の発明は、トレー脚がチャンネル材の開放面を下向きに用いたものであることにより、トレー脚からの熱が、加熱面となる焼鍋方向に開放面のない普通の脚の場合よりも更に、耐熱底面シートに伝わりにくいものとなり、耐熱底面シートの劣化をより防ぐものとなった。
【図面の簡単な説明】
【００２０】
【図１】実施例にかかる餃子並べ入れトレーの分解斜視図
【図２】焼鍋内に餃子を並べた状態を示す参考斜視図
【図３】実施例にかかるトレー本体の平面図
【図４】１人前が一体密着状態でパッケージされた餃子に用いるトレー本体の平面図であり、（イ）は４人前餃子用の平面図であり、（ロ）は６人前餃子用の平面図である。
【図５】トレー本体中央付近の横断面図
【図６】耐熱底面シートを差し込んだ状態の右側縦枠付近の拡大断面図
【図７】耐熱底面シートを差し込んだ状態の平面図
【図８】同状態の底面図
【図９】トレー本体の縦断面図
【図１０】耐熱底面シートを差し込んだ状態の挿入案内部付近の拡大断面図
【図１１】焼鍋内に餃子並べ入れトレーを入れた状態の縦断面図
【図１２】同横断面図
【発明を実施するための形態】
【００２１】
以下、図示の実施例と共に、本発明の実施の形態について説明する。
図１は、実施例にかかる餃子並べ入れトレーの分解斜視図であり、図中符号１は、餃子並べ入れトレーであって、図１に示されるように、餃子並べ入れトレー１は、複数の餃子を整列収納するトレー本体２と、トレー本体２より抜き差し自在に装着され、餃子を出し入れする耐熱底面シート３とによりなる。
【００２２】
尚、該餃子並べ入れトレー１は、一度に複数の餃子を焼くことができる業務用餃子焼器に使用することを前提に提案されたものである。図２が、本実施例を使用して業務用餃子焼器の焼鍋Ｙ内に餃子Ｇを並べ入れた状態を示す参考斜視図である。
【００２３】
図３はトレー本体２の平面図であり、図１及び図３で明らかなように、トレー本体２は、耐熱底面シート３の抜き差し方向の左右となる左右の縦枠４と前後の横枠５とによりなる上下面開放の方形であるトレー枠内に、縦仕切板６，６１と横仕切板７により餃子を整列収納するための収納空部８が形成されたものである。トレー本体２は、ステンレス等の金属で作られている。
【００２４】
図３に示す実施例での仕切板は、４枚の縦仕切板６，６１と１１枚の横仕切板７によりなる。これにより、餃子１個が収納される大きさの収納空部８が、横方向に５列、縦方向に１２列の計６０個形成されている。尚、中央２本の縦仕切板６１は、トレー本体２の補強のため、その左右の縦仕切板６より太い部材を用いている。
【００２５】
図１及び図３に示す実施例より、収納空部８は６０個設けられているが、６０個に限定されるものではなく、所望の個数に決定することができる。更に、収納空部８の大きさも１個の餃子の大きさに限定されるものではなく、１人前の餃子（例えば６個）が一体密着状態でパッケージされた餃子などの場合、その収納空部８の大きさは図４（イ）（ロ）に示されるように複数個の餃子が密着してパッケージされたものに適する大きさである。
【００２６】
尚、図４（イ）はパッケージ餃子が４人前に対応するための平面図であり、図４（ロ）は６人前に対応するための平面図である。４人前の餃子並べ入れトレーは、１枚の縦仕切板６と１枚の横仕切板７により、パッケージ餃子が収納される収納空部８が、横方向に２列、縦方向に２列の計４個形成されている。６人前の餃子並び入れトレーは、２枚の縦仕切板６と１枚の横仕切板７により、パッケージ餃子が収納される収納空部８が、横方向に３列、縦方向に２列の計６個形成されている。
【００２７】
図５はトレー本体中央付近の横断面図であり、図６は耐熱底面シートを差し込んだ状態の右側縦枠付近の拡大断面図である。実施例での縦枠４は耐熱底面シート抜き差し方向に長尺なものであって、図６に示されるような断面Ｌ字状の鋼材４１と断面逆Ｌ字状の鋼材４２を上下で向かい合わせて角パイプ状に形成したものを用いている。尚、左右の縦枠４の上面中央付近には、トレー本体２を持ち上げ、移動するための把手４０が取り付けられている。
【００２８】
実施例では、縦枠４の上面となる断面逆Ｌ字状の鋼材４２の上部水平面を外方に向けて幅広に突出させて、係止辺４３を形成し、図２に示される焼鍋Ｙの上部開口縁Ｙ１の上面に該係止辺４３の下面を当接させ、トレー本体２を焼鍋Ｙにセットすることができる。焼鍋Ｙが、係止辺４３が係止め可能な上部開口縁Ｙ１を有する場合、本実施例は、横トレー脚１０及び縦トレー脚１１を用いることなく耐熱底面シート３を焼鍋Ｙから隔離した位置に装着することができる。
【００２９】
左右の縦枠４の下部には、摺動保持ガイド部となるシートスライドガイド４４が形成される。本実施例では、図６に示されるように、縦枠４を構成する断面Ｌ字状の鋼材４１の下部水平面とその上部に位置する断面逆Ｌ字状の鋼材４２の垂直面下端との間に断熱底面シート３が保持及び摺動可能な空間が、トレー枠内側に向かって左右対向するよう形成され、シートスライドガイド４４となる。
【００３０】
尚、シートスライドガイド４４となる断面Ｌ字状の鋼材４１の下部水平面上で断熱底面シート３を摺動保持する。勿論、シートスライドガイド４４は、このような構成とせず、縦枠４の下部に断面略コ字状のレール部材の開放面側を内側に向けて取り付けたものであってもよい。
【００３１】
図５及び図６に示されるように、縦枠４の下端には、縦トレー脚１１が取り付けられている。縦トレー脚１１の高さによりトレー本体２のシートスライドガイド４４に挿入された断熱底面シート３と焼鍋Ｙの加熱面との間を隔離し、断熱底面シート３が過剰に加熱されることを防いでいる。実施例では、縦枠４の横幅（短尺方向の幅）と同じ幅のトレー脚とされている。尚、該縦トレー脚１１は、チャンネルパイプ材の開放面を下向きにした形状となっている。こうした形状とすることにより、焼鍋Ｙからの熱が、トレー本体２、更には挿入されている耐熱底面シート３に伝わりにくいものとなっている。
【００３２】
図７は耐熱底面シート３を差し込んだ状態の平面図であり、図８は同状態の底面図である。図８に現れるように、差し込まれた耐熱底面シート３の下方位置に、耐熱底面シート３の撓みを防止するための撓み防止ガイド１２が設けられている。撓みを防止することにより、耐熱底面シート３が垂れ下がって焼鍋Ｙの加熱面に接することを防止している。
【００３３】
撓み防止ガイド１２は、次のように構成されている。
第１に、耐熱底面シート３を抜き差しする方向、即ち、縦枠４と平行方向で、横トレー脚１０に、取り付けられている。
第２に、トレー枠下面の中央付近に２本設けられている。
第３に、縦仕切板６１の下方の位置に設けられ、収納された餃子Ｇの落下の障害とならないようにされている。
【００３４】
第４に、撓み防止ガイド１２の上面の高さは、シートスライドガイド４４の高さと同じであり、更に、撓み防止ガイド１２の下端は、横トレー脚１０及び縦トレー脚１１と同じ高さとなるようにされている。即ち、トレー本体２の脚としての機能も果たしている。よって、焼鍋Ｙからの熱影響を防止するため断面略コ字状で開放面を下方に向けたレールで作られている。勿論、本来目的とするところは耐熱底面シート３の撓み防止であるため、焼鍋Ｙの加熱面にとどかない低い高さであってもよい。
【００３５】
図１に示されるように、左右の縦枠４の間には、前後の横枠５と前後の横トレー脚１０が設けられている。この前後の横枠５と前後の横トレー脚１０で耐熱底面シート３の挿入案内部１３を形成している。図９が横枠５と横トレー脚１０が現れるトレー本体の縦断面図であり、図１０が耐熱底面シートを差し込んだ状態の挿入案内部付近の拡大断面図である。
【００３６】
トレー本体２の前後に設けられた横枠５は、左右の縦枠４間に渡る横長の垂直平板で、下端は、前方上方に向かって曲折され、挿入案内部１３の前方上部案内辺９とされている。尚、横枠５の上端は縦枠４の上部水平面である係止辺４３と同じ高さであり、横枠５の下端即ち挿入案内部１３の下端が、耐熱底面シート３をシートスライドガイド４４に挿入しやすい高さ、即ちシートスライドガイド４４の空間上端部とほぼ同じか、若しくは若干上の高さとされている。
【００３７】
前後の横枠５の下方位置には、横トレー脚１０が設けられている。横トレー脚１０は、左右の縦枠４の間で、縦枠４の前後端に、断面略コ字状のチャンネル材を開放部を下方に向けて連設したものであって、縦トレー脚１１と同じ高さを有し、トレー本体２の脚を構成し、耐熱底面シート３を餃子焼器の加熱面となる焼鍋Ｙから隔離する役割を有する。
【００３８】
横トレー脚１０は、上に位置する水平面が前後方向へ幅広に形成されている。該水平面の上面が、耐熱底面シート３をシートスライドガイド４４へ案内する挿入案内部１３の前方下部案内面１４とされる。同時に、水平面の内側端辺（図１０では右方に位置する後方端辺）を、内側に向かって傾斜辺として形成し、挿入案内部１３の後方下部案内辺１５としている。尚、水平面の外側端辺が、下方へ曲折され、縦トレー脚１１と同じ高さに形成され脚として作用する。
【００３９】
横トレー脚１０は、幅広の水平面が挿入案内部１３の前方下部案内面１４となるので、該前方下部案内面１４が、シートスライドガイド４４の空間下端部の高さ位置と同位置となり、前方下部案内面１４と、挿入案内部１３の下端である前方上部案内辺９との間に、耐熱底面シート３が挿入スライド可能な距離を設けられている。
【００４０】
図１に示されるように、餃子並べ入れトレー１は、トレー本体２と、耐熱底面シート３とによりなる。耐熱底面シート３は、トレーの底面となるようトレー本体２の長さより若干長く、左右のシートスライドガイド４４内をスライド可能なる幅に形成されている。更に、餃子焼器の焼鍋Ｙに入れるため、調理のための加熱温度に対応する耐熱性を有し、図１１に示されるように、焼鍋Ｙの縁に沿って曲折可能なる柔軟性及び可撓性を有するものである。尚、抜き差し方向の一方端部には、抜き取りの便利のためのつまみ部３１が形成されている。
【００４１】
以下、餃子並べ入れトレー１の使用方法について説明する。
まず、耐熱底面シート３をつまみ部３１と反対側端部より、トレー本体２の前面側の耐熱底面シート３の挿入案内部１３に差し込む。このとき耐熱底面シート３は、前方上部案内辺９と前方下部案内面１４により、シートスライドガイド４４へと導かれる。
【００４２】
耐熱底面シート３は、シートスライドガイド４４及び撓み防止ガイド１２に沿ってスライド進行し、耐熱底面シート３の先端が背面側シートスライドガイド４４の端部位置を超し、後方の横トレー脚１０の上面に位置したあたりで、耐熱底面シート３がセットされる。
【００４３】
耐熱底面シート３がセットされた後、トレー本体２の縦仕切板６，６１と横仕切板７とで形成された収納空部８に餃子Ｇを収納する。餃子が収納された餃子並べ入れトレー１を、トレー本体２の把手４０を持って焼鍋Ｙ内に入れる。
【００４４】
図１１が焼鍋Ｙ内に餃子並べ入れトレーを入れた状態の縦断面図である。耐熱底面シート３は、可撓性を有するため焼鍋Ｙの縁に沿って曲折される。尚、焼鍋Ｙ内において耐熱底面シート３は、シートスライドガイド４４及び撓み防止ガイド１２により、図１２に示すように焼鍋Ｙより隔離された上方に保持されているため、焼鍋Ｙの熱から守られている。
【００４５】
以上の準備完了後、耐熱底面シート３のつまみ部３１を持って、耐熱底面シート３を引き抜く。これによりトレーの底面がなくなるため、餃子並べ入れトレイ１に収納されていた餃子Ｇは餃子焼器の焼鍋上に整列状態で配置される。その後、トレー本体１を把手４０を持って焼鍋Ｙより取り出す。餃子焼器の鍋蓋を閉め、調理をスタートする。
【符号の説明】
【００４６】
１・・・・・・・・餃子並べ入れトレー
２・・・・・・・・トレー本体
３・・・・・・・・耐熱底面シート
３１・・・・・・・つまみ部
４・・・・・・・・縦枠
４０・・・・・・・把手
４１・・・・・・・断面Ｌ字状の鋼材
４２・・・・・・・断面逆Ｌ字状の鋼材
４３・・・・・・・係止辺
４４・・・・・・・シートスライドガイド
５・・・・・・・・横枠
６，６１・・・・・縦仕切板
７・・・・・・・・横仕切板
８・・・・・・・・収納空部
９・・・・・・・・前方上部案内辺
１０・・・・・・・横トレー脚
１１・・・・・・・縦トレー脚
１２・・・・・・・撓み防止ガイド
１３・・・・・・・挿入案内部
１４・・・・・・・前方下部案内面
１５・・・・・・・後方下部案内辺
Ｙ・・・・・・・・焼鍋
Ｙ１・・・・・・・上部開口縁
Ｇ・・・・・・・・餃子
【図１】
2019076295.tif 000003
【図２】
2019076295.tif 000004
【図３】
2019076295.tif 000005
【図４】
2019076295.tif 000006
【図５】
2019076295.tif 000007
【図６】
2019076295.tif 000008
【図７】
2019076295.tif 000009
【図８】
2019076295.tif 000010
【図９】
2019076295.tif 000011
【図１０】
2019076295.tif 000012
【図１１】
2019076295.tif 000013
【図１２】
2019076295.tif 000014